(57)【特許請求の範囲】
【請求項１】
横列に単日の薬投与回数相当と縦列に週日相当数に区分しかつ単日単位で連続した保存容袋コマを有し、基台シートに細網み目でかつ非自己復元性の織り布を用いて各保存容袋コマにギャザーを施したうえ左右及び底辺を連続して縫製係止し、保存容袋コマの上部には横方向に連続した袋筒を設け、該袋筒に滑動容易な紐を連貫通させ、該紐の一方の端部を基台シートに固定し、他の端部に袋筒口径より略３〜５倍の大きさの係止具を設けた吊り下げ式薬剤分別式保存袋において、前記滑動容易な紐の長さを横列の保存容袋コマの上部全横幅長さに一つの保存容袋コマの上部横幅長さを加えた長さとすることを特徴とする吊り下げ式薬剤分別具
【発明の詳細な説明】
【技術分野】
【０００１】  本発明は、  市販されている吊り下げ式薬袋の課題を解消し、指先の感覚の衰えた服用者でも容易に薬剤取り出しを可能とするほか、薬剤の取り出し忘れや取り出し間違い等を防ぎ、薬剤の取り分けを週間単位にできる吊り下げ式薬剤分別具に関するものである。
【背景技術】
【０００２】  近年、疾病を持つ薬剤服用者の多くは、医師等から服用の条件指示を伴う薬剤を供与されるが、その多くは多種の薬剤を錠剤、顆粒剤、粉剤、カプセル剤等形態の異なる包装形状により供与され、食前・食後はもとより一日単位でも数回に亘ってその指示に従って服用することを指示される。その場合でも、同種の薬剤の繰り返し服用ではなく服用時期毎にその組み合わせも異なる場合が多くなってきているのが実情である。
比較的判断力や指先の感覚に支障がない身体正常者では問題は少ないが、高齢者や四肢の感覚が衰えた服用者には、医師の指示を確実に励行することは困難な場合が多い。【０００３】  そこで、各種の薬剤保存用のケースが提案されている。
１週間単位での服用毎に分別された服用薬整理箱が登録実用新案第３１０６８４８号において提案されており、最も実用的と評価できるものの容器全体が大きくなり不必要時にも保管の場所を有するなど課題は多い。【０００４】  また、一日単位の保管容器を重畳させて１週間単位で保管する薬箱が特開２００２−９５７２２において提案されている。しかるに服用毎に区分けはされているものの、１日単位で開封する構造であるため、不必要な薬剤が逸散する可能性があるうえ、机上等に静置する構造がその置き場所の確保が必要でもある。【０００５】  また、市販されている壁掛けが可能なカレンダー式薬剤分別保存袋も、指先の機能が万全でないと底辺に留まっている錠剤等を取り出すには困難を極めているのが実情である。【０００６】
【特許文献１】  登録実用新案第３１０６８４８号公開公報
【特許文献２】  特開２００２−９５７２２号公開公報
【発明の開示】
【発明が解決しようとする課題】
【０００７】  本発明者はかかる課題を解決するため、薬剤服用者にとって最も至便であると考えられる壁掛けが可能な吊り下げ式薬剤分別保存袋に着目しその問題点を解消することに主眼をおいて開発を行った。
従来の吊り下げ式薬剤分別保存袋の構造は、薬袋の側面と底部をタック構造とし、このタックの開き分量だけ薬が入れられるようになっている。但し、袋に用いる素材は自己復元性の強い樹脂素材等を用いているため取り出し口の開きが悪くタック部分に薬剤が引っかかって取り出せない、また、底面近くにある錠剤等を容易に取り出せない欠点のほか、服用者はもちろん看護、介護、家族等の支援者らが吊り下げ式薬剤分別保存袋を見て、一目で医師等の指示に従って薬剤を服用したかの判断が容易でなかったという問題点がある。
【課題を解決するための手段】
【０００８】  本発明は、従来の技術・構造が有するこのような課題を鑑みてなされたものであり、その目的とするところは、高齢者を含め例えば指先の感覚が衰えた服用者もが目的とする薬剤を取り出し易く、取り出し間違いを少なくし、取り残しを生じない、また看護、介護、家族等の支援者らが薬剤保存袋または薬剤保存ケースを見て一目で薬剤を医師等の指示通り服用したかが判別容易な吊り下げ式薬剤分別具としたことにある。【０００９】本発明の吊り下げ式薬剤分別具は、横列に単日の薬剤投与回数相当数と縦列に週日相当数に区分しかつ単日単位で連続した保存容袋コマを有する吊り下げ式薬剤分別具であって、軟質の素材を用いた基台となるシートに、中に収容する薬剤が正面外部から判別できる程度でかつ薬剤が保持できる程度の細い編み目状でかつ非自己復元性の織り布を用い、横列に基台シート幅の１．３〜２倍の長さを用いてにギャザーを施したうえ左右及び底辺を連続して各保存容袋コマを縫製係止し、保存容袋コマの上部には横方向に連続した袋筒を設け、該袋筒に滑動容易な紐を連貫通させ、その一方の端部を基台シートに縫製固定し、他の端部に保存用袋コマ上端に設けた袋筒口径より略３〜５倍の径を有する係止具を設けた吊り下げ式薬剤分別式薬保存袋具において、前記滑動容易な紐の長さを横列の保存容袋コマの上部全横幅長さに一つの保存容袋コマの上部横幅長さを加えた長さとすることにある。【００１０】  このことにより、保存容袋コマ上端に設けた袋筒に連貫通させた紐の長さを横列に単日の薬剤投与回数相当数の保存容袋コマの全薬袋を閉じた状態の全保存容袋コマの横幅長さに保存容袋コマの１コマ分のみの横幅長さを加えた長さにすることによって、任意の保存容袋コマをその上端を指先等で引き開けることに連動して袋筒の中の紐が横方向に滑動し、他の保存容袋コマの上端はその全てが閉じるという機能を発揮する。
【発明の効果】
【００１１】  本発明は、構造的に特段の複雑さは有してないが、その構造及び機能構成から、次の効果を奏する。
横列に単日の薬剤投与回数相当数の任意の保存容袋コマの何れかの上端を全開すると他の保存容袋コマの上端は全てが閉じる構造であるため、服用を完了した保存容袋コマは上端部が解放されかつ手前に大きく膨らんでいる状態となり、次に服用する薬剤はその隣の保存容袋コマを開けばよいし、薬剤を取り出す時迷うことはなくかつ間違うことも少なくなる。
また、看護、介護、家族等の支援者らが保存容袋コマを見て一目で薬剤を医師の指示に従って服用したかが容易に判別できるのでとても管理し易い。また薬剤の仕分けも週に１度すればよいという利点をも有している。
【発明を実施するための最良の形態】
【００１２】  以下、本願発明の請求項１についての実施の形態を図１〜図５に基づいて説明する。
本願発明の吊り下げ式薬剤分別具の軟質の素材を用いた基台シート１は、市販従来品と同様に横列に朝・昼・夕・寝る前など薬剤を服用する服用時表示１０に配列し、縦列には１週間分の曜日表示１１を配列する。【００１３】  本基台シート１に、中に収容する薬剤が正面外部から判別でき、薬剤が保存容袋コマ２内部に保持できる程度の細い編み目状でかつ非自己復元性の織り布を用い、横列に基台シート１の幅の略１．３〜２倍の長さを用いて各保存容袋コマ２にギャザー３を施したうえ各保存容袋コマ２単位に左右及び底辺を連続して縫製係止７して、上部のみが指先等で開・閉口する袋状とすることにより複数の保存容袋コマ２を有する吊り下げ式薬剤分別具の基本が構成できる。【００１４】次に、薬剤を確実にしかも容易に投入・取り出すための構造として、保存容袋コマ２の開放されている上端には基台シート１の両端部に連貫通する袋筒４を設け、該袋筒４の内部に左右に滑動容易な滑動紐５を連貫通させ、その一端部は基台シート１に係止８し、該滑動紐５の他の端部には袋筒４の口径よりも略３〜５倍の大きさの係止具６を取りつける。
前記滑動紐５の長さを、横列の保存容袋コマ２の上部全横幅長さに一つの保存容袋コマ２の上部横幅長さを加えた長さとする。【００１５】本願発明においては、前記滑動紐５を横列の保存容袋コマ２の上部全横幅長さに一つの保存容袋コマ２の上部横幅長さを加えた長さとすることが最大の特徴である。
即ち、滑動紐５の長さは横列とした全ての保存容袋コマ２の全幅に少なくとも保存容袋コマ２の一つ以上加えた長さとすることが必須であるが、必要以上に滑動紐５が長い構造では複数の保存容袋コマ２が同時に開口される可能性があり、薬剤の服用者の薬投与のための誤判断や誤作動を惹起し易くなるという構造上・技術構成上の欠点がある。
本願発明の構成においては、この欠点を補い確実に何れかの保存容袋コマ２が１箇所のみ開口状態９となるようにしたことにより、図１の最上段及び図２に示したように、横列の保存容袋コマ２の何れかを全開すれば、他の保存容袋コマ２は全閉状態を確保出来るので、薬剤の服用者の誤判断や誤作動を確実に防止できる構造となっている。【００１６】  前記滑動紐５の一端部の係止８の方法は、単なる縫製による係止８のほか、基台シートを貫通させての裏面での接着又は縫製係止のほか、デザイン上からボタンやホックによる係止でもその方法に制約はない。
また、滑動紐５の一方の端部を係止８することなく、その滑動紐５の両端に係止具６を設けても良い、その場合も滑動紐５の長さは同じとする。【００１７】また、滑動紐５は理想的には引っ張り強度が大きく表面が滑らかな樹脂製のテグス等が最適であるが、保存容袋コマ２を形成する素材との摺動性の相性及び袋筒４を円滑に左右に滑動又は摺動する素材であれば、本願発明の素材に制約されない。
なお、滑動紐５の他の端部に設ける係止具６は、袋筒４の口径よりも大きく保存容袋コマ２を開いた動作により、滑動紐５が左右に滑動した際に袋筒４内に引き込まれない大きさであればよく、その素材は如何なる物を用いても差し支えない。即ち本願発明で表示した球形でなくともデザイン上から動物や植物を模した形状でも本願発明の機能を発揮できる物であれば一向に差し支えない。【００１８】  ここで、本件発明の利用の仕方と各部の機能を説明する。
薬剤の服用者等は、医師等から提供された薬剤を、１回の服用量毎に細分割し、服用する予定の保存容袋コマ２の上部を指先等で手前に引き開けて投入する。この時滑動紐５が各保存容袋コマ２の上端に設けられた袋筒４内を左右に滑動し、係止具６が引き上げられ袋筒４の端部に留まる。【００１９】  そのため、薬剤を保存する保存容袋コマ２の上端は一定の開口状態９で係留し、保存容袋コマ２を形成する非自己復元性の織り布の性状により、開口の形状を保持するので、薬剤を容易に収納することができる。１日分の薬剤の収納が完了すれば係止具６を引くことにより横列の保存容袋コマ２の上端は全て閉止（閉口）状態となり、その後多少の横揺れ等が発生しても収納した薬剤が保存容袋コマ２より逸散することは起こりえない。【００２０】  また、服用者が必要な服用のため薬剤を取り出す場合も同様に、必要な保存容袋コマ２の上端を指先等で引き開くことにより保存容袋コマ２の上端が一定の開口状態９となり、指先等の機能が衰えた服用者でも小さなサイズの薬剤を容易に取り出すことができる。この場合、保存容袋コマ２の一カ所が全開状態に開口されると他の保存容袋コマ２の上端は全てが閉口されるため、他の保存容袋コマ２内の薬剤が逸散することも混入することも起こりえない。
【図面の簡単な説明】
【００２０】
【図１】本発明の吊り下げ式薬剤分別具の斜視図（月曜日の昼の薬剤飲用前後の状態）。
【図２】本発明の吊り下げ式薬剤分別具の平面図。
【図３】本発明の吊り下げ式薬剤分別具における１日分の保存容袋コマの拡大斜視図。
【図４】吊り下げ式薬剤分別具の保存容袋コマの閉口状態拡大平面図。
【符号の説明】
【００２１】  １  基台シート
２  保存容袋コマ
３  ギャザー
４  袋筒
５  滑動紐
６  係止具
７  縫製係止
８  係止
９  開口状態
１０  服用時表示
１１  曜日表示
【図１】
0005190817.tif 000002
【図２】
0005190817.tif 000003
【図３】
0005190817.tif 000004
【図４】
0005190817.tif 000005